(57)【要約】【課題】  編集作業を行う必要がなく、撮影終了後には所望の映像を鑑賞することが可能なビデオカメラを提供する。【解決手段】  ビデオカメラで撮影している影像に簡潔な手順でキーワードを設定し、設定したキーワードと影像を関連付けるプレイリストファイルを作成する。撮影終了時点とほぼ同時にキーワードに対応するプレイリストファイルが作成されており、撮影者が撮影中に設定したキーワードを選択し、そのキーワードに基づいて映像を再生すれば、撮影直後にはキーワードに関連する影像を鑑賞することができる。また、キーワードは撮影中に切り替えることができ、１つの影像に対して複数設定できる。【選択図】        図１
2007074104.tif 000002
【特許請求の範囲】
【請求項１】
撮影手段と、操作手段による操作に従って撮影期間中に撮影映像にキーワードを設定する手段と、設定されたキーワードと映像データを関連付ける情報を含むファイルを作成する手段と、前記ファイルを記録媒体に記録する手段とを備えたことを特徴とするビデオカメラ。
【請求項２】
前記キーワードは予め登録され、登録されたキーワードの中から選択されることを特徴とする請求項１に記載のビデオカメラ。
【請求項３】
前記キーワードは階層的に設定され、上位キーワードが設定された場合には上位キーワード及びその下位キーワードに対応するファイルがそれぞれ作成され、下位キーワードが設定された場合には下位キーワード及びその上位キーワードに対応するファイルがそれぞれ作成されることを特徴とする請求項１又は２に記載のビデオカメラ。
【請求項４】
前記ファイルは、キーワードとそのキーワードが設定された映像データのフレーム区間の情報を含むことを特徴とする請求項１〜３のいずれか１項に記載のビデオカメラ。
【請求項５】
前記ファイルの情報に基づいてキーワードに関連付けられた撮影映像を再生する手段を有することを特徴とする請求項１〜４のいずれか１項に記載のビデオカメラ。
【請求項６】
入力された検索条件に従ってキーワードに関連する映像を検索する手段と、検索結果を出力する手段とを有することを特徴とする請求項１〜５のいずれか１項に記載のビデオカメラ。
【請求項７】
前記出力手段は検索結果を先頭フレームの静止画で出力することを特徴とする請求項６に記載のビデオカメラ。
【請求項８】
前記検索条件は前記操作手段による操作に従って入力され、複数のキーワードに共通するエントリーの検索、１つのキーワードのみに関連するエントリーの検索、又は複数のキーワードのうちいずれかに関連するエントリーの検索が可能であることを特徴とする請求項６に記載のビデオカメラ。
【請求項９】
前記検索結果に基づいて検索条件に該当するキーワードと映像データを関連付ける情報を含むファイルを作成する手段を有することを特徴とする請求項６〜８のいずれか１項に記載のビデオカメラ。
【発明の詳細な説明】
【技術分野】
【０００１】
本発明は、光ディスク、磁気ディスク、半導体メモリ等に撮影映像を記録するビデオカメラに関するものである。
【背景技術】
【０００２】
複数の動画や音声データが記録されているメディアを取り扱うＤＶＤ等の記録再生装置では、メディアに記録されている動画・音声のデータファイルを、ユーザーが所望の順番に入れ替えて鑑賞することができる。このデータファイルの再生順序を設定したものをプレイリストと呼ぶ。また、記録再生装置の中には、データファイルの再生範囲をプレイリストの中で再生開始点と再生終了点を指定することにより設定できるものもある。
【０００３】
動画データの記録再生装置の中には、大容量の書き換え可能な光ディスクを記録媒体として使用し、プレイリストを利用して動画の編集を行うものがある。このような装置の場合には、動画のデータファイルを実際にトリミングしたりつなぎ合わせたりして１つのシーンに編集を行うのではなく、プレイリストによって動画ファイル毎に再生開始点と再生終了点を指定し、またそれらの再生順序を設定し、そのプレイリストに従ってデータファイルを再生することで動画編集を実現している。
【０００４】
プレイリストによる編集方法としては、例えば、特開２０００−３５３３７５号公報に開示された方法がある（特許文献１）。同公報のものでは、作成するプレイリストの番号をボタン等のユーザーインタフェースを用いて入力し、ディスク等に記録されている映像データを再生して表示しながら開始位置でボタンを押してプレイリストの開始点として登録する。
【０００５】
次に、終了位置を指示するために早送り、早巻戻し、停止、再生ボタン等を操作して該当する映像データ位置を探索し、終了位置として登録することによりプレイリストを作成する。複数のシーンから構成されるプレイリストを作成する場合には、上記手順を繰り返すことになる。
【特許文献１】特開２０００−３５３３７５号公報
【発明の開示】
【発明が解決しようとする課題】
【０００６】
上述のように従来方法では、撮影した映像を再生しながら所望の映像シーンを探して選択しながらプレイリストを作成していた。従って、映像から所望のシーンを選択、抽出するための編集作業が必須であった。更に、編集作業が必須であるために撮影終了直後に所望のシーンのみを抽出した映像を鑑賞することはできなかった。
【０００７】
本発明の目的は、編集作業を行う必要がなく、撮影終了後には所望の映像を鑑賞することが可能なビデオカメラを提供することにある。
【課題を解決するための手段】
【０００８】
本発明は、上記目的を達成するため、撮影手段と、操作手段による操作に従って撮影期間中に撮影映像にキーワードを設定する手段と、設定されたキーワードと映像データを関連付ける情報を含むファイルを作成する手段と、前記ファイルを記録媒体に記録する手段とを備えたことを特徴とする。
【０００９】
本発明においては、撮影期間中に撮影影像にキーワードを設定し、キーワードと映像データを関連付ける情報を含むファイルを作成する。このファイル情報に基づいてキーワードに関連する情報を再生すれば、編集作業を必要とすることなく、キーワードに関連する映像のみを鑑賞することができる。
【発明の効果】
【００１０】
本発明によれば、撮影期間中に映像にキーワードを設定し、キーワードと映像を関連付けるファイルを作成することにより、キーワードに関連する映像のみを鑑賞することができる。また、編集作業を必要とすることなく、キーワードに関連する映像を鑑賞することができる。
【００１１】
更に、撮影終了後にはファイルが作成されるため、撮影終了後には所望の映像を鑑賞することができる。また、検索条件に従って撮影映像を検索し、検索結果に基づいてファイルを作成するため、複雑な編集作業を必要とすることなく、所望の影像を簡単に得ることができる。
【発明を実施するための最良の形態】
【００１２】
次に、発明を実施するための最良の形態について図面を参照して詳細に説明する。
【００１３】
（第１の実施形態）
図１は本発明に係るビデオカメラの第１の実施形態を示すブロック図である。図中１０１は光ディスクであり、例えば、ＤＶＤ等の記録媒体を用いることができる。光学レンズ１０２を通った撮影像は、ＣＣＤセンサ等の固体撮像装置１０３により電気信号に変換され、カメラ信号処理部１０４に入力される。カメラ信号処理部１０４で色変換等の所定の処理を施された信号は、デジタル化されてコーデック１０５に与えられる。符号化の方式としては、ＭＰＥＧ２，Ｈ２６４／ＡＶＣ等の公知のものを用いることができる。
【００１４】
コーデック１０５で圧縮符号化された映像ストリームは、ＳＤＲＡＭ等のメモリ部１０６に一時記憶される。このメモリ１０６部は、ＤＶＤ等の光ディスクドライブが受ける振動や衝撃による書き込みエラーを回避するためのショックプルーフ及び消費電力を節約するために、間欠的に記録または再生を行うために利用できる。
【００１５】
ドライブ信号処理部１０７は、光ディスク用のトラッキング、フォーカス及びスピンドルサーボ回路、記録再生の際の変復調回路及びＥＣＣ等のエラー訂正回路からなるものである。ＲＷ回路１０８は主にピックアップ１０９内のレーザ光源のレーザーパワー制御を行い、ピックアップ１０９により光ディスク１０１に記録または再生を行う。
【００１６】
操作手段１１０は、ビデオカメラ装置をユーザーが操作するための入力手段である。マイコン（マイクロコンピュータ）１１１は、光ディスクドライブを含むビデオカメラ全体を最適に制御する制御回路である。マイコン１１１は詳しく後述するようにキーワードの登録、撮影期間中のキーワードの設定、設定されたキーワードと映像データを関連付けるためのプレイリストファイルの作成、プレイリストファイルに基づく映像の再生等の制御を行う。ＬＣＤ表示パネル１１２はＬＣＤ制御部１１３を介して入力映像や再生映像を表示するものである。
【００１７】
図２は本実施形態に係る装置の側面及び背面からの外観を示す。図２（ａ）は側面、図２（ｂ）は背面から見た図である。図中２０１はレンズ鏡筒であり、２０２はビューファインダーである。側面には、表示パネル１１２に表示するメニュー項目等を選択するための十字キー２０３が設けられ、また表示パネルにメニューを表示するためのメニューボタン２０５、メニュー等で選択した項目を確定する確定ボタン２０６及び選択項目をキャンセルする場合等に用いるキャンセルボタン２０７が配置されている。
【００１８】
背面には、録画または再生モードを切り替えるためのモードスイッチ２０８と録画及び再生を開始または終了する際に用いる録画／再生ボタン２０４が配置されている。なお、図２の十字キー２０３や各種ボタン等を総称して図１における操作手段１１０とする。
【００１９】
次に、キーワードの登録方法について説明する。キーワードを登録する場合、ユーザーはＬＣＤ表示パネル１１２に表示される画面を通して操作を行う。
【００２０】
図３は表示画面を示す。図３において、３０１はキーワード登録画面であり、メニューボタン２０５を用いてキーワード設定モードになると表示される。ここでは、入力文字列としてカタカナ及び英数字を入力する場合について示す。
【００２１】
初期状態には、カタカナが５０音順に整列して表示されており、十字キー２０３により任意の文字の位置にカーソルを移動させることができる。図３においては、ア行の「ウ」の位置３０３にカーソルが位置している。３０２は入力しているキーワード文字列であり、現在位置の下にカーソルが表示される。画面の下段にはボタンが配置されており、戻るボタン３０４、決定ボタン３０５、クリアボタン３０６及び英数ボタン３０７がある。
【００２２】
戻るボタン３０４は、直前のメニュー画面に戻る場合に用いる。決定ボタン３０５は、キーワード文字列３０２をキーワードとして確定し、登録する場合に用いる。クリアボタン３０６は、入力中のキーワード文字を訂正する場合に用い、一度押すと１文字クリアされる。英数ボタン３０７は、英数字を入力する場合に選択するもので、カタカナの代わりに英数字の一覧が表示される。
【００２３】
キーワードを登録する場合には、十字キー２０３でカーソルを目的の文字に移動させて文字の選択を行い、キーワード文字列３０２に所望のキーワードを入力する。そして、決定ボタン３０５を用いて決定することでキーワードを登録する。
【００２４】
尚、このボタン類は十字キー２０３によりボタン位置にカーソルを移動させて、確定ボタン２０６により選択することもできるし、表示画面３０１の下段の各ボタンを操作手段１１０の各ボタンに割り当てて用いることも可能である。またキーワードは複数設定することが可能である。
【００２５】
図４は登録したキーワードの一例を示す。ここでは、「カゾク」、「タロウ」、「ジロウ」、「ハナコ」の４つのキーワードが登録されている。
【００２６】
次に、映像の記録について説明する。録画モードの場合、ＬＣＤ表示パネル１１２に撮影映像と各種モードが表示される。図５は録画の際の表示パネル１１２の画面を示す。録画中の画面６０１の各種モードの中にキーワードがあり、キーワード候補欄６０２に上述のように登録したキーワードを十字キー２０３により切り替えて表示できる。図５（ａ）はキーワード候補欄６０２にキーワード“タロウ”が表示された状態を示す。
【００２７】
次に、十字キー２０３の下矢印を１回押すと、図５（ｂ）に示すように次のキーワード“ジロウ”がキーワード候補欄に６０２に表示される。撮影する映像に対してユーザーが所望のキーワードを設定する場合には、所望のキーワードが表示されている状態で、操作手段１１０内の確定ボタン２０６を押す。次に、操作者が操作手段１１０内の録画ボタン２０４を押すと録画動作が開始される。
【００２８】
録画が開始されると、光学レンズ１０２を通して被写体像を入力して、適切な処理をカメラ信号処理部１０４で施し、コーデック１０５で符号化して変調処理した後、映像データをＲＷ回路１０８により光ディスク１０１に記録する。ここで、符号化した映像は一旦メモリ部１０６に保持して、間欠的に記録することにより消費電力を節約している。
【００２９】
また、再度録画ボタン２０４が押下されると録画が終了する。そして、メモリ部１０６内に蓄積されている撮影終了時点までの残りの映像データがＲＷ回路１０８により光ディスク１１０に記録される。記録された映像データはファイルとして管理され、例えば、ファイル名”Ｒｅｃ００．ｍｐｇ”となる。
【００３０】
同時に、キーワードに対応したプレイリストファイルが生成される。上記の場合、キーワードとして”タロウ”が設定されたとすると、プレイリストファイル”タロウ．ｐｌｓ”が生成される。既に既存のプレイリストが存在する場合には、追加・更新される。プレイリストファイルはメモリ部１０６上に作成され、映像データの記録後、ＲＷ回路１０８により光ディスク１０１の所定領域に記録される。
【００３１】
図６はプレイリストファイルの概略を示す。ここでは、前述の映像データ”ＲＥＣ＿００．ｍｐｇ”のみからなるプレイリストとなっている。
【００３２】
前述のシーケンスにおいては映像データ”ＲＥＣ＿００．ｍｐｇ”全体がキーワード”タロウ”として録画される場合であったが、録画中の映像の一部のみにキーワードを設定し、複数のキーワードをそれぞれの影像部分に設定することが可能である。
【００３３】
図７はキーワードの設定処理を示すフローチャートである。図７において、最初にキーワードを指示しないで録画ボタン２０４を押下して録画を開始する。録画中の映像にキーワードを付与する場合には、Ｓ８０１でメニューのキーワード設定を選択し、図５の画面６０１のキーワード候補欄６０２を表示させる。また、Ｓ８０２で十字キー２０３を押すと、登録されているキーワードがキーを押す毎に切り替わるので、所望のキーワードが表示された状態で確定ボタン２０６を押してキーワードＡを指定する。
【００３４】
キーワードが指定されると、Ｓ８０３でその時点のフレーム番号ＦＡ１が保持され、撮影映像データにキーワードＡを付与する。次に、Ｓ８０４で所望の影像部分で再度確定ボタン２０６が押下されると、キーワードＡが解除され、Ｓ８０５でキーワードが解除されたフレーム番号ＦＡ２が保持される。その後、Ｓ８０６で録画が終了すると、Ｓ８０７で撮影映像データファイル及びフレーム番号を基にキーワードＡに対するプレイリストファイルを生成する。
【００３５】
また、同様の手順で、録画の途中から影像に別のキーワードが設定されると、同様にそのキーワードが設定された期間の影像のフレーム番号が保持され、そのキーワードに対するプレイリストファイルを作成する。また、途中でキーワードを付けない場合には、十字キーでキーワード無しを選択すると、キーワードの設定を解除することもできる。
【００３６】
図８は映像データ”ＲＥＣ＿０１．ｍｐｇ”の録画途中からキーワード”タロウ”を設定した場合のプレイリストファイル”タロウ．ｐｌｓ”の概略を示す。図８に示すように、映像データ”Ｒｅｃ＿０１．ｍｐｇ”の後にキーワードを付与したフレーム番号を示す数字（１００−３００）が付けられている。これは、フレーム１００からフレーム３００までの区間に渡ってキーワード”タロウ”が設定されたことを示している。
【００３７】
更に、同じ映像データを録画中に別のキーワード”ジロウ”に切り替えられた場合には、プレイリストファイル”ジロウ．ｐｌｓ”が生成される。図９はプレイリストファイル”ジロウ．ｐｌｓ”の概略を示す。映像データ”ＲＥＣ＿０１．ｍｐｇ”のフレーム３５０からフレーム５００までの区間に渡ってキーワード”ジロウ”が設定されている。
【００３８】
図１０は上記で説明した映像データとプレイリストファイルの内容の関係を示す。生成されたプレイリストファイルは、上述のように光ディスク１０１の所定領域に記録されるので、電源をＯＦＦしても無くなることはない。
【００３９】
次に、プレイリストファイルの再生について説明する。図１１は再生の動作フロー、図１２は再生モードの際のＬＣＤ表示パネル１１２の画面を示す。
【００４０】
図１１において、まず、Ｓ９０１でメニューの”キーワード”が選択されると（図１２（ａ））、キーワードに関連付けされたプレイリストの一覧が表示される（図１２（ｂ））。次に、Ｓ９０２でユーザーが、一覧から所望のプレイリストを選択した後、画面の決定ボタン３０５を選択し、確定ボタン２０６を押すと、Ｓ９０３でマイコン１１１は選択されたプレイリストを識別し、対応するプレイリストファイルを解析する。図１２（ｂ）では、プレイリストファイル”タロウ”が選択された例を示す。
【００４１】
図１３は選択されたプレイリストファイルの概略を示す。次に、Ｓ９０４で先頭の映像データ”ＲＥＣ＿００．ｍｐｇ”をオープンし、プレイリストファイルに記述されているフレーム１００から３００のデータを再生するように指示する。するとＳ９０５で、ドライブ信号処理部１０７によりスピンドルモータ、フォーカス、トラッキングサーボを起動し、Ｓ９０６で所望のトラック位置にシーク制御する。
【００４２】
次に、Ｓ９０７でフレーム１００に対応する光ディスク上のアドレス位置からデータを再生する。再生されたデータは、Ｓ９０８でピックアップ１０９を介して電気信号に変換され、ドライブ信号処理部１０７において復調、エラー訂正されてメモリ部１０６に保持される。その後、Ｓ９０９でコーデック１０５が、メモリ部１０６に保持されているデータを読み出し、伸張処理を施してカメラ信号処理部１０４に出力する。カメラ信号処理部１０４は、入力された映像データをＮＴＳＣ信号に変換してＬＣＤ制御部１１３に供給する。そしてＳ９１０でＬＣＤ表示パネル１１２上に再生映像を各種モード情報と共に表示する。
【００４３】
このようにして図１３の映像データ”ＲＥＣ＿００．ｍｐｇ”のフレーム１００〜３００、その次の影像データ”ＲＥＣ＿０１．ｍｐｇ”のフレーム５０〜２００、その次の映像データ”ＲＥＣ＿０３．ｍｐｇ”のフレーム２２０〜５１０の再生を順次行う。そして、すべての映像の再生を終了したところで影像の再生を終了する。
【００４４】
尚、本実施形態では、図１３に示すようにプレイリストによりキーワードと映像データを関連付けているが、図１４に示すように関連付けファイルを映像データ毎に作成することでも対応できる。図１４は映像データＲＥＣ＿０３．ｍｐｇの関連付け情報を保持するファイルの概略である。基本的には、映像データに設定された各キーワードとそのキーワードが設定された影像データのフレーム区間を対応付ければ良い。
【００４５】
このように本実施形態では、録画中の映像に対してキーワードを設定し、キーワードと撮影データを関連付けるファイルを自動で作成するため、そのファイルに基づいてキーワードに関連する影像のみを鑑賞することができる。また、キーワードの設定、切り替えが簡単にできるため、操作者の意図に柔軟に対応できる。更に、設定したキーワードに関連するファイルは撮影終了とほぼ同時に出来ているので、撮影終了後すぐにキーワードに対応する映像を鑑賞することができる。
【００４６】
（第２の実施形態）
次に、本発明の第２の実施形態について説明する。第２の実施形態の構成は図１と同様であるが、本実施形態の特徴はキーワードを階層的に設定する点にある。更に、各キーワードに対応するプレイリストも階層毎に生成される。マイコン１１１はキーワードの階層的設定の制御を行う。以下、その方式について説明する。
【００４７】
キーワードを登録する場合には、図３のキーワード登録画面３０１で、まず、キーワードとして“カゾク”と入力し、決定ボタン３０５により上位キーワードとして登録する。すると、図１５（ａ）に示すようにキーワードとして“カゾク”が表示された状態となる。次に、図１５（ａ）のキーワード“カゾク”を選択して、キーワード登録に移行し、同様の方法で下位のキーワードを設定する。図１５（ｂ）は“カゾク”の下に階層的にキーワード“タロウ”、“ジロウ”、“ハナコ”を登録した例を示す。
【００４８】
図１６は階層的に登録されたキーワードの概略を示す。最上位にはキーワードとして、“カゾク”と“ペット”があり、その下に各々下位キーワードが登録されている。マイコン１１１は、図１６に示すような構成でキーワードを管理する。
【００４９】
次に、図１７に示すフローに従い撮影を行うものとする。図１７では、まず、録画ボタン２０４を押して録画を開始し、Ｓ９３０でキーワードとして“カゾク”を指定する。次に、Ｓ９３１において録画途中でキーワードを“タロウ”に変更する。但し、この時録画は継続している。更に、Ｓ９３２においてキーワードを“タロウ”から“ハナコ”に変更する。その後、録画ボタン２０４を再度押して録画を停止する。
【００５０】
図１８は本実施形態の装置で上記フローの際に生成されるプレイリストの概略を示す。ＲＥＣ＿１０．ｍｐｇは、録画開始から停止までの時間に撮影された映像データに対応するファイルである。図１８では上記映像データファイルに対して各々のキーワードを指定した範囲を示している。本実施形態においては、キーワードを階層構造で管理しており、その中の任意のキーワードが指定された場合には、その上位の階層のキーワードも自動的に指示されたものとみなして対応するプレイリストファイルが生成される。
【００５１】
図１８においては、キーワードの“タロウ”及び“ハナコ”はともに“カゾク”の下位キーワードであるので、キーワード“カゾク”は映像データ全てに対して指定されたものとみなして、プレイリストファイルが生成される。それに加えて、下位のキーワードである“タロウ”と“ハナコ”が指定された範囲に対応するプレイリストファイルである“タロウ．ｐｌｓ”及び“ハナコ．ｐｌｓ”が生成される。
【００５２】
別の例として、図１９に示すフローに従い撮影を行うものとする。図１９ではＲＥＣ開始で録画を開始し、Ｓ９４０でキーワードとして“タロウ”を指定する。次に、Ｓ９４１でキーワードとして“イヌ”を追加で指定する。これまでは、キーワードを切り替える場合であったが、図１９ではキーワードとして“タロウ”と“イヌ”の２つが同時に指定されている。
【００５３】
図２０は図１９のフローで撮影した場合に生成されるプレイリストファイルの概略を示す。この時の映像データファイルをＲＥＣ＿１１．ｍｐｇとする。ＲＥＣ開始後にキーワードの“タロウ”が指定されているので、指定した時刻Ｔ１以降の映像データに対応するプレイリストファイル“タロウ．ｐｌｓ”とその上位キーワードである“カゾク”に対応するプレイリストファイル“カゾク．ｐｌｓ”が生成される。また、時刻Ｔ２においてキーワード“イヌ”が追加されているので、時刻Ｔ２以降の映像データに対応するプレイリストファイル“イヌ．ｐｌｓ”が生成される。
【００５４】
図２１は本実施形態に係る装置のキーワードの追加及び変更画面の概略を示す。４７０は表示パネル１１２に表示される撮影画面であり、撮影映像と共にキーワード候補欄４７１が表示されている。キーワード候補としては、複数行に表示することができ、ここでは“タロウ”、“ジロウ”、“ハナコ”の３つが表示されている。
【００５５】
図２１ではキーワード“タロウ”にカーソル４８０が位置しているが、十字キー２０３の上下の矢印を押すことにより、カーソルを上下させて４８１に移動させることでキーワード“ジロウ”を選択することができる。また、画面４７０の下段には、決定ボタン４９０、追加ボタン４９１、削除ボタン４９２及び変更ボタン４９３があり、これらのボタンを選択することでキーワードの指定、追加、削除、変更に対応することができる。
【００５６】
なお、プレイリストの再生方法は第１の実施形態と同様であり、図１１のフローに従って再生を行う。
【００５７】
本実施形態おいてはキーワードを階層的に設定することができ、また撮影の際には下位のキーワードを指定するだけで、その上位のキーワードに対応するプレイリストファイルも自動的に生成されるので、撮影終了時点では上位及び下位のキーワード各々に対応する映像を即座に鑑賞することができる。
【００５８】
また、１つの映像データに対して複数のキーワードを付与することも簡単な手順で実現出来、且つ、指定した複数のキーワードに対応するプレイリストを各々生成できるので、ユーザーの意図に合わせた柔軟な対応が可能となる。
【００５９】
更に、撮影途中でもキーワードの切り替えや追加が簡単に行えるので、映像データの内容が変化しても短時間で対応するキーワードを指定することが出来る。
【００６０】
（第３の実施形態）
次に、本発明の第３の実施形態について説明する。第３の実施形態の構成は図１と同様であるが、本実施形態の特徴はキーワードを基に撮影映像を検索したり、検索結果を出力したり、簡単に編集ができる点にある。マイコン１１１は後述する撮影影像の検索や検索結果の出力、編集等の制御を行う。なお、キーワードの設定方法は第１、第２の実施形態と同様である。
【００６１】
図２２は本実施形態の装置における検索画面５１０の概略を示す。５１１は検索文字列等の入力欄であり、この部分が選択されると前述の図３に示すような文字入力画面となり、任意の文字列を入力することが可能である。５１１には検索対象のキーワード文字列を入力する。
【００６２】
５１２は検索条件であり、入力設定された検索条件を表示する。５１３〜５１５は検索条件を設定するためのボタンであり、５１３の“かつ”は検索文字全てに合致する場合の条件、５１４の“または”は検索文字のいずれかに合致する場合の条件、５１５の“のみ”は排他的な検索を行う場合の条件である。
【００６３】
また、検索画面５１０の下段の５１６はサーチボタンで検索開始を指示する。５１７はクリアボタンで検索文字列をクリアする場合に用いるものである。ここで、前述の実施形態で説明したように各キーワードに対応したプレイリストとして、例えば、図２３に示すように“タロウ．ｐｌｓ”と“ハナコ．ｐｌｓ”が生成されているものとする。
【００６４】
次に、図２２の検索画面５１０により検索条件として“タロウかつハナコ”が指定されている場合について処理の概略を説明する。この場合には、キーワードとして“タロウを入力し、検索条件として“かつ”を入力し、更にキーワードとして“ハナコ”を入力する。
【００６５】
図２２の条件でサーチボタン５１６が選択されて検索が開始されると、マイコン１１１はプレイリスト“タロウ．ｐｌｓ”と“ハナコ．ｐｌｓ”の内容を解析する。そして、図２３に下線で示すように、両者に共通のエントリーを抽出し、図２４に示すように新たにプレイリスト“タロウかつハナコ.ｐｌｓ”を生成する。
【００６６】
次に、“タロウかつハナコ.ｐｌｓ”の各エントリーの先頭のフレームの静止画像を生成し、その一覧を図２５に示す検索結果画面５２０に表示する。画面５２０には、検索条件文字列と各エントリーの先頭フレームの静止画像５２１〜５２４が日付（Ｄａｔｅ）と共に表示される。画面５２０の下段には戻るボタン３０４、再生ボタン３２０及びプレイリスト追加ボタン３２１が配置されている。
【００６７】
次に、静止画像５２１〜５２４のいずれかを十字キー２０３により選択し、再生ボタン３２０を選択すると、選択した静止画像に対応する映像データが再生される。また、プレイリスト追加ボタン３２１を選択して実行すると、検索条件に対応して生成されたプレイリストファイル“タロウかつハナコ.ｐｌｓ”が光ディスクに記録され、以降プレイリスト一覧を表示する場合には、他の各キーワードに対応するプレイリストと共に表示される。また、光ディスク１０１の所定領域に記録されるため、電源ＯＦＦしても保持される。
【００６８】
また、図２２の検索条件として５１５の“のみ”が設定された場合には、入力されたキーワードのみに該当するエントリーが検索される。例えば、キーワード“ハナコ”に対しては図２３におけるキーワード“ハナコ”のみに該当するエントリー（キーワード“タロウ”と共通するエントリーは除外）が抽出される。
【００６９】
更に、図２２の検索条件として５１４の“または”が設定された場合には、入力されたキーワード全部に該当するエントリーが抽出される。検索結果は先の説明と同様に先頭フレームの静止画が表示され、また、プレイリスト追加ボタン３２１を選択すると、検索条件に対応して生成されたプレイリストファイルは光ディスクに記録される。
【００７０】
このように本実施形態では、キーワードに対応したプレイリストを基に簡潔な手順で検索作業を実行することができる。また、前述のようにプレイリストは撮影終了直後には生成されているので、検索作業も撮影後即座に行うことが可能である。更に、検索結果を基にしてプレイリストファイルを生成するため、複雑な編集作業を行わなくても所望の映像データを得ることができる。
【００７１】
なお、キーワードの登録、設定、検索等の操作手段の操作方法としては、以上の実施形態で説明した方法に限ることなく、様々な方法があることは言うまでもない。
【図面の簡単な説明】
【００７２】
【図１】本発明に係るビデオカメラの第１の実施形態を示すブロック図である。
【図２】図１の装置の外観を示す図である。
【図３】キーワードの登録画面を示す図である。
【図４】設定キーワードの一例を示す図である。
【図５】録画時におけるキーワード設定画面を示す図である。
【図６】プレイリストファイルの一例を示す図である。
【図７】録画中の映像にキーワードを設定する手順を示すフローチャートである。
【図８】録画中の映像にキーワードを設定した場合のプレイリストファイルの一例を示す図である。
【図９】録画中の映像に別のキーワードを設定した場合のプレイリストファイルの一例を示す図である。
【図１０】図８と図９のプレイリストファイルと映像データの関係を示す図である。
【図１１】キーワードに関連付けられた映像の再生方法を説明するフローチャートである。
【図１２】再生モードの時の表示画面を示す図である。
【図１３】選択されたプレイリストファイルを示す図である。
【図１４】キーワードと映像データを関連付ける関連付けファイルの一例を示す図である。
【図１５】本発明の第２の実施形態におけるキーワードの設定方法を説明する図である。
【図１６】第２の実施形態の階層的に設定されたプレイリストファイルの一例を示す図である。
【図１７】撮影時におけるキーワード設定の一例を示すフローチャートである。
【図１８】図１７のキーワード設定に対して作成されたプレイリストファイルを示す図である。
【図１９】撮影時におけるキーワードの他の設定例を示すフローチャートである。
【図２０】図１９のキーワード設定に対して作成されたプレイリストファイルを示す図である。
【図２１】第２の実施形態におけるキーワード設定画面を示す図である。
【図２２】本発明の第３の実施形態における検索画面を示す図である。
【図２３】第３の実施形態におけるプレイリストファイルの一例を示す図である。
【図２４】図２３のプレイリストファイルから両者の共通のエントリーを抽出したプレイリストファイルを示す図である。
【図２５】第３の実施形態の検索結果を示す表示画面を説明する図である。
【符号の説明】
【００７３】
１０１  光ディスク
１０２  光学レンズ
１０３  ＣＣＤセンサ（固体撮像装置）
１０４  カメラ信号処理部
１０５  コーデック
１０６  メモリ部
１０７  ドライブ信号処理部
１０８  ＲＷ回路
１０９  ピックアップ
１１０  操作手段
１１１  マイコン
１１２  ＬＣＤ表示パネル
１１３  ＬＣＤ制御部
２０１  レンズ鏡筒
２０２  ビューファインダー
２０３  十字キー
２０４  録画／再生ボタン
２０５  メニューボタン
２０６  確定ボタン
２０７  キャンセルボタン
２０８  モードスイッチ
３０１  キーワード登録画面
３０２  キーワード文字列
３０３  選択文字
３０４  戻るボタン
３０５  決定ボタン
３０６  クリアボタン
３０７  英数ボタン
【図１】
2007074104.tif 000003
【図２】
2007074104.tif 000004
【図３】
2007074104.tif 000005
【図４】
2007074104.tif 000006
【図５】
2007074104.tif 000007
【図６】
2007074104.tif 000008
【図７】
2007074104.tif 000009
【図８】
2007074104.tif 000010
【図９】
2007074104.tif 000011
【図１０】
2007074104.tif 000012
【図１１】
2007074104.tif 000013
【図１２】
2007074104.tif 000014
【図１３】
2007074104.tif 000015
【図１４】
2007074104.tif 000016
【図１５】
2007074104.tif 000017
【図１６】
2007074104.tif 000018
【図１７】
2007074104.tif 000019
【図１８】
2007074104.tif 000020
【図１９】
2007074104.tif 000021
【図２０】
2007074104.tif 000022
【図２１】
2007074104.tif 000023
【図２２】
2007074104.tif 000024
【図２３】
2007074104.tif 000025
【図２４】
2007074104.tif 000026
【図２５】
2007074104.tif 000027